(57)【要約】【課題】軟質合成樹脂のごとき可撓性を有する材料で成形されており、その肩部に複数の吐出用口頸部が形成されている容器において、各口頸部の吐出口を開閉するヒンジキャップを合成樹脂の１工程の射出で成形できる構造とすること。【解決手段】キャップ本体７に一連の頂板１１を設け、該頂板１１に、容器の口頸部４に嵌着される嵌着スカート部８と、嵌着スカート部８から頂板１１を上下に貫通する吐出筒部１２と、ヒンジ部２０に続くカバーキャップ１８とを一連一体に成形し、前記嵌着スカート部には口頸部４の開口部１４に密嵌される内筒部１６を形成し、カバーキャップ１８の内面には吐出筒部１２の吐出口２２を密封する栓体２４を垂設した。【選択図】図２
2004299744.tif 000002
【特許請求の範囲】
【請求項１】
軟質合成樹脂のごとき可撓性を有する材料で形成されている容器の複数の口頸部に、それぞれ各別に外嵌されるキャップ本体の嵌着スカート部が、一連の頂板に、前記複数の口頸部の間隔に適合する間隔を存して一連に下垂形成されており、
各嵌着スカート部には、前記頂板を上下に貫通して突出した吐出筒部と、前記容器の各口頸部の開口部内に下垂して密嵌される内筒部とが一連一体に形成されており、
前記各吐出筒部の開口部を各別に覆いうるカバーキャップの内面からは、各吐出筒部の吐出口を密封する栓体が垂設されており、
前記カバーキャップは、各別に、ヒンジ部を介して前記一連の頂板と一連一体に形成されていることを特徴とする
複数の吐出口を有するヒンジキャップ。
【請求項２】
各吐出筒部の吐出口の開口形状は、互にそれぞれ異種形状に形成されている請求項１記載の複数の吐出口を有するヒンジキャップ。
【発明の詳細な説明】
【０００１】
【発明の属する技術分野】
本発明は、シャンプーとリンス、染髪料等の化粧料、生クリーム、マヨネーズ、トマトケチャップ等の調味料等の流動性と若干の保形性とを有する内容物の単体、或はその複数種を充填され、しかも単一体として取り扱いうる可撓性を有する容器の、複数の口頸部に嵌着される吐出口を有するヒンジキャップの改良に関する。
【０００２】
【従来の技術】
この種の、１個の容器に複数の吐出口を設け、それぞれの吐出口に取付けるようにしたヒンジキャップとしては、実公平４−５４１３１号公報に記載されるものが知られているが、このヒンジキャップは、別体のキャップ本体部材と開閉蓋部材とを嵌着して一体化したうえで容器の吐出口に装着する構造である。（例えば特許文献１参照）
【０００３】
【特許文献１】
実公平４−５４１３１号公報（第１頁、第３図第４図）
【０００４】
前記従来のヒンジキャップは、２部材を嵌着して一体化したものを容器の吐出口に装着する構造であるため、各部材の成形に２工程を要するのみでなく、その組み立てに１工程を要し、ヒンジキャップの組み立てのみで３工程を要するのみでなく、吐出口の形状に変化を持たせ、吐出された内容物に外観的変化を具備させるという技術思想は全く具備されていない。
【０００５】
【発明が解決しようとする課題】
前記従来の単一容器に形成した複数の吐出口に装着するヒンジキャップを１工程で成形でき、しかもそれぞれの吐出口から吐出された内容物の外形に視覚的な差を設け、用途に応じた太さの差、装飾的な美感の差等を容易に得られるヒンジキャップを提供することを課題としている。
【０００６】
【課題を解決するための手段】
前記課題を解決するため、請求項１の発明では、可撓性を有する容器の複数の口頸部に、それぞれ各別に外嵌されるキャップ本体を、その嵌着スカート部が、一連の頂板に、前記複数の口頸部の間隔に適合する間隔を存して一連に形成されており、また各嵌着スカート部には、前記頂板を上下に貫通して突出した吐出筒部と、前記容器の各口頸部の開口部内に密嵌される内筒部とが一連一体に形成されており、前記各吐出筒部の開口部を各別に覆いうるカバーキャップの内面からは、各吐出筒部の吐出口を密封する栓体が垂設されていると共に、前記カバーキャップが各別にヒンジ部を介して前記一連の頂板と一連一体に形成されているという構成とした。
【０００７】
また請求項２の発明では、各吐出筒部の吐出口の開口形状が、互にそれぞれ異種形状に形成されているという構成を請求項１の発明に付加した。
【発明の実施の形態】
【０００８】
図１の正面図（Ａ）、平面図（Ｂ）ないし図６は、請求項１及び請求項２の両発明を併せ適用した第１の実施例を示しており、軟質合成樹脂のごとく可撓性を有する材料製の容器１は、単一の内腔２の容器であり、肩部３に複数、図示例では２個の吐出用の口頸部４、５が突出形成され、底端６は開放のままとされている。
【０００９】
前記口頸部４、５には、図２、図３及び図４に示されるキャップ本体７が、該キャップ本体７と一体に形成されている嵌着スカート部８、９で、図３及び図６に示されるごとくアンダーカット部１０により密に嵌着されている。図示例では口頸部４、５は等径とされているが両者は異径であってもよい。
【００１０】
前記嵌着スカート部８、９は、キャップ本体７の一連の頂板１１に、容器１の口頸部４、５の中心線間の間隔Ｌ１に等しい中心線間の間隔Ｌ２を存して形成されている。
【００１１】
前記嵌着スカート部８、９には、前記頂板１１を上下に貫通して突出した吐出筒部１２、１３と、前記容器１の各口頸部４、５の開口部１４、１５内に下垂して密嵌される内筒部１６、１７とが一連、一体と形成されている。
【００１２】
前記頂板１１には、前記吐出筒部１２、１３を覆うカバーキャップ１８、１９が図２に示すヒンジ部２０、２１で、図２に示す水平位置まで開かれた開位置と、図３のカバーキャップ１９及び図４に示す両カバーキャップ１８、１９のごとく、頂板１１と平行し、前記吐出筒部１２、１３を液密に覆う閉位置との間を、手指により開閉動させられるように頂板１１と一連一体に形成させられている。
【００１３】
また前記カバーキャップ１８、１９の内面からは、各吐出筒部１２、１３の吐出口２２、２３内に嵌入され、吐出口２２、２３を密封する栓体２４、２５が垂設されており、キャップ本体７のスカート部８、９が口頸部４、５に嵌着され、カバーキャップ１８、１９が閉位置を占めた際に、該栓体２４、２５が吐出口２２、２３を密封できるように構成されている。
【００１４】
前記吐出口２２、２３は、請求項２の発明によりその開口形状が、図２に示すごとく異径であるとか、或は一方が菊花、桜花等の花の外輪郭形状であり他方は太陽、星、三カ月等の外輪郭形状であるというごとく、互に異種形状とされている。
【００１５】
図示例の容器１は、口頸部４、５にキャップ本体７を嵌着し、口頸部４、５を密封したのちに内腔２に内容物を充填し、次いで図１中点線６ａで示す位置に存在した空容器の下端を底端６の位置で切除し、その上方区間Ｈを溶着して密封容器とされる。
【００１６】
前述の第１の実施例では、内腔２が単一の容器１に関する実施例であるが、図７の正面図（Ａ）、平面図（Ｂ）、底面図（Ｃ）、図８、図９及び図１０に示す第２の実施例では、容器２６が、複数本の独立容器、図示例では互に別個の２本の容器２７、２８を単一容器にまとめ、それぞれの容器の口頸部２９、３０に、第１の実施例に適用したキャップ本体７と同一構造のキャップ本体３１を適用した実施例である。
【００１７】
この第２の実施例のキャップ本体３１の構造は、前記第１の実施例と同一構造であるので、その説明を省略し、別個の２本の容器２７、２８の包括体たる容器２６について説明する。
【００１８】
２本の容器２７、２８は、平面図たる図７（Ｂ）、底面図たる図７（Ｃ）に示されるごとく、対向面３２、３３が平坦面とされた横断面変形角筒状とされ、下端３４は、キャップ本体３１の嵌着により独立していた２本の別個の容器２７、２８が１本に包括され、かつ内溶液が充填されたのち、空容器であった時点での下端３４ａを下端３４の位置で切断し、一体に溶着することにより、図９、図１０に示すように形成されたものである。
【００１９】
容器２７、２８は、図８に示されるごとく、口頸部２９、３０に、キャップ本体３１の嵌着スカート部３５、３６をアンダーカット部１０で嵌着することにより一体的に包括、結合されている。
【００２０】
この第２の実施例の別個の容器２７、２８も、空の状態で図８に示すごとく結合された後に、容器２７、２８内に内容液を充填され、次いで下端３４部分を溶着されて単一容器とされる。この下端３４の溶着の際、容器２７、２８の下端部同士は押圧等の手段で互いに接着させることが好ましい。
【００２１】
既述の第２の実施例では、別個の容器２７、２８が２本であるが、用途の応じ、別個の容器とキャップ本体とを２本以上とすることも可能である。
【００２２】
また、図１、図５及び図６に示される第１の実施例の容器１の内腔２を、図１（Ａ）中に想像線３７で示す位置に設けた隔壁で、互に独立した左右の２室に区分しても、第２の実施例と同様の容器とすることができる。
【００２３】
【発明の効果】
請求項１の発明によると、ヒンジキャップのキャップ本体に具備されて、容器の複数の口頸部に各別に外嵌される嵌着スカート部が、一連の頂板に、口頸部の間隔に適合する間隔で一連に下垂成形され、この嵌着スカート部に、頂板を上下に貫通する吐出筒部が形成されると共に、前記頂板には各吐出筒部を各別に覆うカバーキャップがヒンジ部を介して一連一体に形成されているので、弾性を有するやや硬質の合成樹脂を用いることにより、前記構造のヒンジキャップを取付成形等により１金型による１工程で成形できる効果を奏する。
【００２４】
また各吐出筒部の開口部はカバーキャップで覆われると共に、該カバーキャップの内面からは各吐出筒部の開口部内に密嵌される内筒部が下垂され、更に前記吐出筒部を各別に覆うカバーキャップの内面からは、各吐出筒部の吐出口を密封する栓体が垂設されているので、ヒンジキャップのみで容器の吐出口を含む開口部全体を密封できる効果も奏する。
【００２５】
請求項２の発明によると、各吐出筒部の吐出口の開口形状が互にそれぞれ異種形状、即ち、口径の大小、或は横断面における内周面形状の相違を有する形状に形成されているので、単位時間当りの吐出量の差、吐出された液状体の周面形状の差等を単なる容器胴部に対する手指による押圧のみで発現させることができ、結果として、用途に応じた適切な使用量の維持、塗着時における意匠的効果の発現等を可能とする効果を奏する。
【図面の簡単な説明】
【図１】容器の一例の説明図である。
【図２】請求項１及び請求項２の発明が併せて適用されたヒンジキャップのカバーキャップを開とした状態の平面図である。
【図３】図２に示すものの一方のカバーキャップを閉とし、他方のカバーキャップを全開として断面図とした図２に示すものの正面である。
【図４】図２に示すもののカバーキャップを閉とした状態の平面図である。
【図５】図２ないし図４に示すヒンジキャップを装着した容器の正面図である。
【図６】図５に示すものの縦断面図である。
【図７】容器の別の構造体の正面図、平面図及び底面図である。
【図８】図７に示す容器に請求項１の発明の実施の一例たるヒンジキャップを装着したものの縦断面図である。
【図９】図８に示す容器の完成品の正面図である。
【図１０】図９に示すものの側面図である。
【符号の説明】
１  容器
４、５  口頸部
７  キャップ本体
８、９  嵌着スカート部
１１  頂板
１２、１３  吐出筒部
１４、１５  開口部
１６、１７  内筒部
１８、１９  カバーキャップ
２０、２１  ヒンジ部
２２、２３  吐出口
２４、２５  栓体
【図１】
2004299744.tif 000003
【図２】
2004299744.tif 000004
【図３】
2004299744.tif 000005
【図４】
2004299744.tif 000006
【図５】
2004299744.tif 000007
【図６】
2004299744.tif 000008
【図７】
2004299744.tif 000009
【図８】
2004299744.tif 000010
【図９】
2004299744.tif 000011
【図１０】
2004299744.tif 000012
【手続補正書】
【提出日】平成15年4月21日(2003.4.21)
【手続補正１】
【補正対象書類名】図面
【補正対象項目名】全図
【補正方法】変更
【補正の内容】
【図１】
2004299744.tif 000013
【図２】
2004299744.tif 000014
【図３】
2004299744.tif 000015
【図４】
2004299744.tif 000016
【図５】
2004299744.tif 000017
【図６】
2004299744.tif 000018
【図７】
2004299744.tif 000019
【図８】
2004299744.tif 000020
【図９】
2004299744.tif 000021
【図１０】
2004299744.tif 000022